(57)【要約】  矯正用インプラントの頭部２に対するバネなどの牽引用治具の脱着を容易にするアバットメント１０を提供する。インプラント頭部２の溝３，４に差し込まれる本体部と、本体部と一体に形成されて当該本体部を上記溝３，４に差し込んだ状態で上記頭部２から突出する治具掛止部１５と、上記本体部と一体に形成され頭部２側面に沿ってくびれ部６側に延びる左右の足部１３と、その各足部１３に形成されて上記頭部２の下端部に引っかけ可能な突起部１４と、を備える。
2007108227.tif 000002
【特許請求の範囲】
【請求項１】
頭部上面に溝を有すると共に頭部の下側に当該頭部よりも小径のくびれ部を有するインプラントに対し取り付けられるアバットメントであって、
溝内に差し込まれる本体部と、本体部と一体に形成されて当該本体部を上記溝に差し込んだ状態では上記頭部から突出する治具掛止部と、上記本体部と一体に形成され上記頭部の側面に沿ってくびれ部側に延びる左右の足部と、その各足部に形成されて上記頭部の下端部に引っかけ可能な突起部と、を備え、上記足部は、撓むことでバネ力を発生可能であることを特徴とするアバットメント。
【請求項２】
上記インプラント頭部上面に形成されている溝は、直線上に延びる２本の溝が交差して十字形状に設けられ、上記本体部に、交差する２本の溝のうちの一方の溝に差し込んだ状態で、他方の溝を連通状態とするための切欠きが形成されていることを特徴とする請求項１に記載したアバットメント。
【発明の詳細な説明】
【技術分野】
【０００１】
本発明は、歯列矯正用インプラントに取り付けられるアバットメントであって、矯正用インプラントの頭部に矯正用治具を取り付けるために使用するアバットメントに関する。
【背景技術】
【０００２】
インプラントの頭部に、牽引用のバネなどの矯正治具のフックを引っ掛ける場合には、そのフックを引っ掛けることが可能な突起部などを有する専用のインプラントを使用するのが一般的である。
また、矯正用インプラントの頭部端面には、例えば十字に溝が形成されていて、その溝に矯正用ワイヤを差し込み、その上から溝にレジンなどの充填剤を充填し固化させることで、矯正用ワイヤをインプラントの頭部に固定するのが一般的である。【０００３】
なお、上記溝はインプラントをねじ込む際のドライバ溝としても使用される。
また、矯正用インプラントの頭部を特殊な専用形状とし、専用の頭部に形成した溝部上方の対向する部分に、細い針金を貫通可能な穴を開けておき、その穴に針金を通して結紮して矯正用ワイヤの抜け止めとすることも考えられている。
また、特許文献１のように、頭部に溝を設ける代わりに、頭部の下に形成されているくびれ部の横に矯正用ワイヤを配置した状態で、頭部に小型のねじを螺合させ、その小型のねじの軸部先端を突出されて矯正用ワイヤの抜け止めとする技術もある。
【特許文献１】特開２００４−５７７２９号公報
【発明の開示】
【０００４】
（発明が解決しようとする課題）
バネなどの牽引用治具のフックを引っ掛ける掛止部を備えた専用のインプラントを使用することとなり、用途に応じて多種のインプラントを用意し、インプラント自体を取り替える必要がある。
また、上記充填剤を使用すると一度固定した矯正用ワイヤをインプラントから外すことが出来ず、同じインプラントの頭部に対し他の矯正用治具を取り付けることが出来ない。
【０００５】
また、先行文献１などの構造では、専用のインプラントとなることから、用途に応じて多種のインプラントを用意し、インプラント自体を取り替える必要がある。
本発明は、上記のような点に着目してなされたもので、矯正用インプラントの頭部に対するバネなどの牽引用治具の脱着を容易にするアバットメントの提供を課題としている。
（課題を解決するための手段）
上記課題を解決するために、本発明のうち請求項１に記載した発明は、頭部上面に溝を有すると共に頭部の下側に当該頭部よりも小径のくびれ部を有するインプラントに対し取り付けられるアバットメントであって、
溝内に差し込まれる本体部と、本体部と一体に形成されて当該本体部を上記溝に差し込んだ状態では上記頭部から突出する治具掛止部と、上記本体部と一体に形成され上記頭部の側面に沿ってくびれ部側に延びる左右の足部と、その各足部に形成されて上記頭部の下端部に引っかけ可能な突起部と、を備え、上記足部は、撓むことでバネ力を発生可能であることを特徴とするものである。
【０００６】
次に、請求項２に記載した発明は、請求項１に記載した構成に対し、上記インプラント頭部上面に形成されている溝は、直線上に延びる２本の溝が交差して十字形状に設けられ、上記本体部に、交差する２本の溝のうちの一方の溝に差し込んだ状態で、他方の溝を連通状態とするための切欠きが形成されていることを特徴とするものである。
【図面の簡単な説明】
【０００７】
【図１】本発明に基づく実施形態に係るアバットメントを示す正面図である。
【図２】インプラントの頭部とアバットメントとの関係を説明する図である。
【図３】インプラントの頭部にアバットメントを取り付けた状態を示す斜視図である。
【図４】治具掛止部にコイルスプリングを取り付ける例を説明した図である。
【符号の説明】
【０００８】
１  インプラント
２  頭部
３，４  溝
６  くびれ部
１０  アバットメント
１１  本体部
１２  切欠き
１３  足部
１４  突起部
１５  治具掛止部
１５ａ  掛止部本体
１５ｂ  大径部
２０  コイルスプリング
２１  矯正用アーチワイヤ
【発明を実施するための最良の形態】
【０００９】
次に、本発明の実施形態について図面を参照しつつ説明する。
図１は、本実施形態に係るアバットメントを説明するための正面図である。
（構成）
まず、インプラント１について説明すると、その頭部２は、図２及び図３に示すように、略円柱形状をしている。その頭部２の上端面には、２本の直線状の溝３、４が交差してなる、十字形状の溝が形成されている。頭部２の下側には頭部２よりも小径のくびれ部６が形成されている。なお、くびれ部６の下側には、粘膜貫通部を介してスクリュー部５が設けられている。【００１０】
そして、本実施形態のアバットメント１０は、上記のような構造の一般的なインプラント１の頭部２に装着されるアバットメントである。
そのアバットメント１０は、図１及び図２に示すような、上記直線状に延びる１本の溝３内に差し込まれる本体部１１、本体部１１の左右両側にそれぞれ連続する左右の足部１３、及び上記本体部１１から上方に突出した治具掛止部１５を備える。アバットメント１０は、チタンやステンレスなどの金属や硬度の高い樹脂からなり、撓むことでバネ力を発揮可能となっている。【００１１】
上記本体部１１は、平板から構成され、板幅は、上記溝３に差し込み可能な寸法となっている。なお、本体部１１は、溝３内に圧入して溝３に直接固定されるものでないので、溝３の幅より若干薄い厚さとなっている。上記本体部１１の下端中央部には切欠き１２が形成されている。その切欠き１２によって形成される空間部分の少なくとも一部分が、当該本体部１１を溝３内に差し込んだ状態では、２本の溝３、４の交差部分に配置されて、上記切欠き１２の開口が、本体部１１を差し込まなかった他方の溝４を繋げる開口となる。【００１２】
上記本体部１１の左右にはそれぞれ足部１３が本体部１１と一体に設けられている。その各足部１３は、本体部１１から頭部２の側面外側に張り出し、且つ当該頭部２の側面に沿ってくびれ部６側に向けて下方に延びている。その足部１３の先端部は頭部２の下方、つまりくびれ部６を臨む位置にあり、その足部１３の先端部には内径側（くびれ部６側）に突出する突起部１４が設けられ、該突起部１４は頭部２の下端部に引っかかるようになっている。【００１３】
また、上記本体部１１の中央部上端部から上方に掛止部本体１５ａが突出している。その掛止部本体１５ａの先端部には、掛止部本体１５ａよりも径が大きな円柱状の大径部１５ｂが設けられている。上記掛止部本体１５ａ及び大径部１５ｂによって治具掛止部１５が構成され、上記掛止部本体１５ａと大径部１５ｂとの境界部の段差がフックの抜け止めとなる。
（作用効果）
上記構成のアバットメント１０は、本体部１１を、図２及び図３に示すように、インプラント１の頭部２に形成された交差する２本の溝３、４の一方の溝３に対し、頭部２の上方から差し込む。この差し込みにつれて若干左右の足部１３が外方に撓んだ状態で、左右の足部１３の先端に設けた左右の突起部１４が、それぞれ頭部２側面に摺接しながら下方に移動し、その突起部１４が頭部２の下方まで移動して差し込みが完了すると、撓んだ足部１３のバネの力でパチンと、左右の突起部１４が頭部２下端部に引っ掛かる。【００１４】
このようにして、インプラント１の頭部２に上記アバットメント１０が着脱可能に取り付けられる。
なお、上記アバットメント１０は、インプラント１を骨に取り付ける前に装着しても良いし、当該インプラント１を骨に取り付けた後に装着しても良い。
そして、図４に示すように、治具掛止部１５に牽引用治具を引っ掛ける。ここで、図４では、牽引用治具としてコイルスプリング２０が例示され、そのコイルスプリング２０の両端部には引っ掛け用フックであるリング２０ａが設けられている。そのリング２０ａは、インプラント１の頭部２よりも小径であるが、上記治具掛止部１５の大径部１５ｂよりも大径の内径を有するものである。【００１５】
上記コイルスプリング２０の装着を説明すると、図４のように、治具掛止部１５の上側からリング２０ａを通し、大径部１５ｂの下側に配置する。すると、コイルスプリング２０のバネ力で引っ張られて図４（ｂ）のような状態となり、治具掛止部１５に引っ掛かり、インプラント１が固定源となって牽引可能となる。なお、上記説明では、コイルスプリング２０の他方がすでに取り付けられている場合で説明しているが、これに限定されない。先に、治具掛止部１５に一方のリング２０ａを引っ掛けた後に、他方を別の部分に取り付けて牽引状態としても良い。【００１６】
また、治具掛止部１５に取り付ける牽引用治具としてコイルスプリング２０を例示しているがこれに限定されない。例えば、牽引用ワイヤの端部を上記治具掛止部１５に取り付けても良い。
また、本実施形態のアバットメント１０では、溝３、４の交差部位置に切欠き１２が設けられているので、図２及び図３のように、矯正用アーチワイヤ２１を他方の溝４に挿入した状態で、上記のように一方の溝３に当該アバットメント１０を差し込むことで、上記切欠き１２の位置にアーチワイヤ２１が配置されて、本実施形態のアバットメント１０は、アーチワイヤ２１の抜け止めにも使用できる。すなわち、簡易に矯正用アーチワイヤ２１を固定することが出来る。【００１７】
このように、牽引用ワイヤなどの牽引用治具の固定や矯正用アーチワイヤ２１を固定するための専用のインプラント１が不要である。
また、上記アバットメント１０は、着脱可能となっているので、当該アバットメント１０を外して、他の用途のアバットメント１０を同じインプラント１に取り付けることも出来る。すなわち、歯列矯正の状況に合わせて、埋設したインプラント１の頭部２に取り付ける治具を変えることが出来る。【００１８】
さらに、上記アバットメント１０は、本体部１１を頭部２の上側から溝３内に押し込むようにして差し込むだけで左右の突起部１４が引っ掛かることで装着されるので、取付けが容易であり、また、取り外しも引っ張るだけで取り外せる。すなわち、脱着が容易である。
ここで、上記実施形態では、治具掛止部１５の上端部を円柱形状としているが、これに限定されない。リング２０ａなどを引っ掛けて掛止できる段差や凹部が形成されれば構わない。【００１９】
また、上記実施形態では、本体部１１の中央部に治具掛止部１５を設ける例を説明しているが、左右どちら側に寄せて治具掛止部１５を突出させても良い。また、治具掛止部１５を二箇所以上設けても良い。
【産業上の利用可能性】
【００２０】
本発明のアバットメントをインプラントに着脱可能に取り付けるだけで、矯正用インプラントの頭部に対する、バネなどの牽引用治具の脱着が容易に出来る。
【図１】
2007108227.tif 000003
【図２】
2007108227.tif 000004
【図３】
2007108227.tif 000005
【図４】
2007108227.tif 000006
【手続補正書】
【提出日】平成19年12月13日(2007.12.13)
【手続補正１】
【補正対象書類名】特許請求の範囲
【補正対象項目名】請求項１
【補正方法】変更
【補正の内容】
【請求項１】
頭部上面にインプラントをねじ込むための溝を有すると共に頭部の下側に当該頭部よりも小径のくびれ部を有するインプラントに対し取り付けられるアバットメントであって、
溝内に差し込まれる本体部と、本体部と一体に形成されて当該本体部を上記溝に差し込んだ状態では上記頭部から突出する治具掛止部と、上記本体部と一体に形成され上記頭部の側面に沿ってくびれ部側に延びる左右の足部と、その各足部に形成されて上記頭部の下端部に引っかけ可能な突起部と、を備え、上記足部は、撓むことでバネ力を発生可能であることを特徴とするアバットメント。
【手続補正２】
【補正対象書類名】明細書
【補正対象項目名】０００２
【補正方法】変更
【補正の内容】
【０００２】
とが出来ず、同じインプラントの頭部に対し他の矯正用治具を取り付けることが出来ない。
［０００５］
また、先行文献１などの構造では、専用のインプラントとなることから、用途に応じて多種のインプラントを用意し、インプラント自体を取り替える必要がある。
本発明は、上記のような点に着目してなされたもので、矯正用インプラントの頭部に対するバネなどの牽引用治具の脱着を容易にするアバットメントの提供を課題としている。
（課題を解決するための手段）
上記課題を解決するために、本発明のうち請求項１に記載した発明は、頭部上面にインプラントをねじ込むための溝を有すると共に頭部の下側に当該頭部よりも小径のくびれ部を有するインプラントに対し取り付けられるアバットメントであって、
溝内に差し込まれる本体部と、本体部と一体に形成されて当該本体部を上記溝に差し込んだ状態では上記頭部から突出する治具掛止部と、上記本体部と一体に形成され上記頭部の側面に沿ってくびれ部側に延びる左右の足部と、その各足部に形成されて上記頭部の下端部に引っかけ可能な突起部と、を備え、上記足部は、撓むことでバネ力を発生可能であることを特徴とするものである。
［０００６］
次に、請求項２に記載した発明は、請求項１に記載した構成に対し、上記インプラント頭部上面に形成されている溝は、直線上に延びる２本の溝が交差して十字形状に設けられ、上記本体部に、交差する２本の溝のうちの一方の溝に差し込んだ状態で、他方の溝を連通状態とするための切欠きが形成されていることを特徴とするものである。
図面の簡単な説明
［０００７］
［図１］本発明に基づく実施形態に係るアバットメントを示す正面図である。
［図２］インプラントの頭部とアバットメントとの関係を説明する図である。
［図３］インプラントの頭部にアバットメントを取り付けた状態を示す斜視図である。
［図４］治具掛止部にコイルスプリングを取り付ける例を説明した図である。
符号の説明
［０００８］
１  インプラント
【手続補正３】
【補正対象書類名】明細書
【補正対象項目名】０００５
【補正方法】変更
【補正の内容】
【０００５】
けられる。
そして、図４に示すように、治具掛止部１５に牽引用治具を引っ掛ける。ここで、図４では、牽引用治具としてコイルスプリング２０が例示され、そのコイルスプリング２０の両端部には引っ掛け用フックであるリング２０ａが設けられている。そのリング２０ａは、インプラント１の頭部２よりも小径であるが、上記治具掛止部１５の大径部１５ｂよりも大径の内径を有するものである。
［００１５］
上記コイルスプリング２０の装着を説明すると、図４のように、治具掛止部１５の上側からリング２０ａを通し、大径部１５ｂの下側に配置する。すると、コイルスプリング２０のバネ力で引っ張られて図４（ｂ）のような状態となり、治具掛止部１５に引っ掛かり、インプラント１が固定源となって牽引可能となる。なお、上記説明では、コイルスプリング２０の他方がすでに取り付けられている場合で説明しているが、これに限定されない。先に、治具掛止部１５に一方のリング２０ａを引っ掛けた後に、他方を別の部分に取り付けて牽引状態としても良い。
［００１６］
また、治具掛止部１５に取り付ける牽引用治具としてコイルスプリング２０を例示しているがこれに限定されない。例えば、牽引用ワイヤの端部を上記治具掛止部１５に取り付けても良い。
また、本実施形態のアバットメント１０では、溝３、４の交差部位置に切欠き１２が設けられているので、図２及び図３のように、矯正用アーチワイヤ２１を他方の溝４に挿入した状態で、上記のように一方の溝３に当該アバットメント１０を差し込むことで、上記切欠き１２の位置にアーチワイヤ２１が配置されて、本実施形態のアバットメント１０は、アーチワイヤ２１の抜け止めにも使用できる。すなわち、簡易に矯正用アーチワイヤ２１を固定することが出来る。
［００１７］
このように、牽引用ワイヤなどの牽引用治具の固定や矯正用アーチワイヤ２１を固定するための専用のインプラント１が不要である。
また、上記アバットメント１０は、着脱可能となっているので、当該アバットメント１０を外して、他の用途のアバットメント１０を同じインプラント１に取り付けることも出来る。す
【国際調査報告】
2007108227.tif 000007
2007108227.tif 000008
2007108227.tif 000009
2007108227.tif 000010